(57)【要約】【課題】高熱部分に手を触れることなくオイルレベルゲージを容易に引き抜くことができる建設機械の提供。【解決手段】エンジン１３と、過給器１４と、エンジンオイルが貯留されるオイルパン１５と、このオイルパン１５内のエンジンオイル量を計測するオイルレベルゲージ１６とを備えるとともに、重量バランスを確保するカウンタウエイト１２を備え、カウンタウエイト１２のオイルレベルゲージ１６と対向する部分に、上に行くに従って、より開放された形状を形成する傾斜面１７ａを有し、オイルレベルゲージ１６を引き抜く作業者の手を案内可能な案内溝１７を設けた構成にしてある。【選択図】図３
2008196150.tif 000002
【特許請求の範囲】
【請求項１】
エンジンと、過給器と、エンジンオイルが貯留されるオイルパンと、このオイルパン内の上記エンジンオイル量を計測するオイルレベルゲージとを備えるとともに、重量バランスを確保するカウンタウエイトを備えた建設機械において、
上記カウンタウエイトの上記オイルレベルゲージと対向する部分に、上に行くに従って、より開放された形状を形成する傾斜面を有し、上記オイルレベルゲージを引き抜く作業者の手を案内可能な案内溝を設けたことを特徴とする建設機械。
【請求項２】
上記請求項１記載の発明において、
上記案内溝に、上記作業者の手の挿入が可能な筒形状を形成する案内板を設けたことを特徴とする建設機械。
【請求項３】
上記請求項１または２記載の発明において、
上記オイルレベルゲージを、地上に立った作業者が引き抜くことが可能な高さ位置に配置したことを特徴とする建設機械。
【発明の詳細な説明】
【技術分野】
【０００１】
本発明は、超小型油圧ショベル等の建設機械に係り、エンジンと過給器とを備えるとともに、過給器の近くにオイルレベルゲージが配置された建設機械に関する。
【背景技術】
【０００２】
この種の従来技術として、例えば特許文献１に示されるものがある。この特許文献１には、エンジンと、過給器とを備えるとともに、高温となっている過給器の排気用タービンに直接手等が触れないように、排気用タービンを覆うカバーを備えた油圧ショベルが開示されている。なお、この特許文献１には示されていないが、一般に、この種の油圧ショベルは、エンジンオイルが貯留されるオイルパンと、このオイルパン内のエンジンオイルの量を計測するオイルレベルゲージの他、重量バランスを確保するカウンタウエイト等が備えられている。
【特許文献１】特開平１１−６４４０号公報
【発明の開示】
【発明が解決しようとする課題】
【０００３】
上述した従来技術に示されるような油圧ショベルが超小型の油圧ショベルである場合は、過給器の排気用タービンの近傍にオイルレベルゲージが配置されることがある。このような超小型の油圧ショベルの場合には、エンジンオイル量を計測する作業者は、地上に立って、オイルレベルゲージを引き抜き、オイルレベルゲージを見て、エンジンオイル量が不足していないかどうかを確認するようにしている。このようなオイルレベルゲージの引き抜きによるエンジンオイル量の点検作業が実施される場合、上述のようにオイルレベルゲージが過給器の近くに配置されていると、オイルレベルゲージを引き抜く作業者の手が、高温となっている過給器の排気用タービン等の高熱部分に触れる虞がある。したがって従来技術にあっては、オイルレベルゲージを引き抜く際に慎重な操作が要求され、このエンジンオイル量の点検作業が煩雑なものになりやすかった。
【０００４】
本発明は、上述した従来技術における実状からなされたもので、その目的は、高熱部分に手を触れることなくオイルレベルゲージを容易に引き抜くことができる建設機械を提供することにある。
【課題を解決するための手段】
【０００５】
上記目的を達成するために、本発明は、エンジンと、過給器と、エンジンオイルが貯留されるオイルパンと、上記オイルパン内の上記エンジンオイルの量を計測するオイルレベルゲージとを備えるとともに、重量バランスを確保するカウンタウエイトを備えた建設機械において、上記カウンタウエイトの上記オイルレベルゲージと対向する部分に、上方に行くに従って、より開放された形状を形成する傾斜面を有し、上記オイルレベルゲージを引き抜く作業者の手を案内可能な案内溝を設けたことを特徴としている。
【０００６】
このように構成した本発明にあっては、オイルパン内のエンジンオイル量を計測するためにオイルレベルゲージを引き抜こうとしている作業者は、自己の手を案内溝の傾斜面に沿って挿入させるようにしてオイルレベルゲージを引き抜けばよい。これにより、高温となっている過給器の排気用タービン等の高熱部分に手が触れることなく、作業者はオイルレベルゲージを容易に引き抜くことができる。また、上述した傾斜面を有する案内溝は、カウンタウエイトの製造時に同時に製作することができ、この案内溝の製作を容易に行なうことができる。
【０００７】
また本発明は、上記発明において、上記案内溝に、上記作業者の手の挿入が可能な筒形状を形成する案内板を設けたことを特徴としている。このように構成した本発明は、案内溝の傾斜面と案内板とによって形成される筒形状の内部に手を挿入することによって、より容易に作業者は過給器の排気用タービン等の高熱部分に手が触れることなくオイルレベルゲージを引き抜くことができる。また、過給器の排気用タービン等の高熱部分から放射される高熱を案内板によって遮蔽することができる。
【０００８】
また本発明は、上記発明において、上記オイルレベルゲージを、地上に立った作業者が引き抜くことが可能な高さ位置に配置したことを特徴としている。このように構成した本発明は、地上に立った作業者によるオイルレベルゲージの引き抜きを容易に行なうことができる。
【発明の効果】
【０００９】
本発明は、カウンタウエイトのオイルレベルゲージと対向する部分に、上に行くに従って、より開放された形状を形成する傾斜面を有し、オイルレベルゲージを引き抜く作業者の手を案内可能な案内溝を設けた構成にしてあることから、オイルレベルゲージの引き抜き時に作業者は、自己の手を案内溝に沿って挿入させることによって、高熱部分に手を触れることなくオイルレベルゲージを容易に引き抜くことができ、従来に比べてエンジンオイル量の点検作業の能率を従来よりも向上させることができる。
【発明を実施するための最良の形態】
【００１０】
以下，本発明に係る建設機械を実施するための最良の形態を図に基づいて説明する。
【００１１】
図１は本発明に係る建設機械の第１実施形態を示す側面図、図２は本実施形態に備えられるエンジン部分を示す図、図３は図２のＡ矢視拡大図、図４は本実施形態に備えられるカウンタウエイトを示す斜視図である。
【００１２】
本発明に係る建設機械の第１実施形態は、例えば超小型油圧ショベルであり、走行体１と、この走行体１上に配置される旋回体２と、この旋回体２に上下方向の回動可能に取り付けられるフロント作業機３とを備えている。このフロント作業機３は、旋回体２に回動可能に取り付けられるブーム４と、このブーム４の先端に回動可能に取り付けられるアーム５と、このアーム５の先端に回動可能に取り付けられるバケット６と、ブーム４を作動させるブームシリンダ７と、アーム５を作動させるアームシリンダ８と、バケット６を作動させるバケットシリンダ９とを含んでいる。
【００１３】
旋回体２は、前側位置に運転室１０を備え、後側位置に重量バランスを確保するカウンタウエイト１２を備えている。また、運転室１０とカウンタウエイト１２の間には、エンジン室１１が配置されている。
【００１４】
エンジン室１１の内部には、図２，３に示すように、エンジン１３と、このエンジン１３の吸入空気を加圧する空気圧縮機、及びエンジン１３からの排気ガスによって駆動される排気ガスタービンを含む過給器１４と、エンジン１３の潤滑油が貯えられ、また、貯えられた潤滑油を冷却するオイルパン１５とが配置されている。なお、前述した図１に示す状態は、エンジン１３及びカウンタウエイト１２の上部がエンジンカバーによって覆われている状態を示しているが、図２，３はエンジン１３及びカウンタウエイト１２の上部を覆うエンジンカバーが開かれた状態を示している。
【００１５】
また、過給器１４の近くに、オイルパン１５内のエンジンオイルの量を計測するオイルレベルゲージ１６が配備されている。このオイルレベルゲージ１６は、例えば図１に示すように、当該油圧ショベルが地上に配置されている状態で、地上に立った作業者が引き抜くことができる高さ位置に配備されている。
【００１６】
この第１実施形態は、特に、図３，４に示すように、カウンタウエイト１２のオイルレベルゲージ１６に対向する部分に、上に行くに従って、より開放された形状を形成する傾斜面１７ａを有し、オイルレベルゲージ１６を引き抜く作業者の手を案内可能な案内溝１７を設けた構成にしてある。
【００１７】
このように構成した第１実施形態にあっては、オイルパン１５内のエンジンオイル量が不足しているかどうかを計測するために、例えば地上に立ってオイルレベルゲージ１６を引き抜こうとしている作業者は、自己の手を案内溝１７の傾斜面１７ａに沿って挿入させるようにして、オイルレベルゲージ１６を引き抜けばよい。これにより、高温となっている過給器１４の排気用タービン等の高熱部分に手が触れることなく、作業者はオイルレベルゲージ１６を地上に立った状態で容易に引き抜くことができ、エンジンオイル量の点検作業の能率を向上させることができる。また、上述した傾斜面１７ａを有する案内溝１７は、カウンタウエイト１２の製造時に同時に製作することができ、この案内溝１７の製作を容易に行なうことができる。これによって、案内溝１７の製作費が安くて済む。
【００１８】
図５は本発明の第２実施形態の要部を構成するカウンタウエイトを示す斜視図である。この図５に示す第２実施形態は、オイルレベルゲージ１６と対向するカウンタウエイト１２の部分に設けた案内溝１８が、比較的傾斜角度の小さい第１傾斜面１８ａと、この第１傾斜面１８ａに連設され、第１傾斜面１８ａに比べて傾斜角度の大きい第２傾斜面１８ｂとから成っている。
【００１９】
このように構成した第２実施形態によれば、上述した第１実施形態と同等の効果が得られる他、オイルレベルゲージ１６を引き抜く際に、このオイルレベルゲージ１６を引き抜く作業者の腕、手首を案内溝１８の第１傾斜面１８ａ及び第２傾斜面１８ｂに沿わせることができ、このオイルレベルゲージ１６の引き抜き作業をさらに容易に行なうことができる。
【００２０】
図６は本発明の第３実施形態の要部を構成するカウンタウエイトを示す斜視図、図７は図６に示す第３実施形態に備えられる案内板を示す図で、（ａ）図は平面図、（ｂ）図は正面図である。
【００２１】
図６に示す第３実施形態は、案内溝１７に、作業者の手が挿入可能な筒形状を形成する案内板１９を設けた構成にしてある。案内板１９は、図７に示すように、半円筒形状をしており、その端部１９ａ，１９ｂを例えばカウンタウエイト１２に鋳込み形成してある。すなわち、カウンタウエイト１２の製造時に、案内板１９の端部１９ａ，１９ｂを同時に鋳込むことによって、これらの案内板１９の端部１９ａ，１９ｂをカウンタウエイト１２に一体に設けてある。
【００２２】
このように構成した第３実施形態によれば、エンジンオイル量の計測のためにオイルレベルゲージ１６を引き抜こうとしている作業者は、案内板１９と、案内溝１８の傾斜面１７ａとによって形成される筒形状の内部に手を挿入することによって、より容易に過給器１４の排気用タービン等の高熱部分に手を触れることなくオイルレベルゲージ１６を引き抜くことができる。また、過給器１４の排気用タービン等の高熱部分から放射される高熱を案内板１９によって遮蔽することができ、オイルレベルゲージ１６の引き抜き時に作業者の手をより確実に高熱から保護することができる。
【００２３】
なお、上記第３実施形態では、案内板１９をカウンタウエイト１２に鋳込み形成してあるが、この案内板１９を締結具あるいは係止具によってカウンタウエイト１２に固定する構成とすることもできる。
【図面の簡単な説明】
【００２４】
【図１】本発明に係る建設機械の第１実施形態を示す側面図である。
【図２】本実施形態に備えられるエンジン部分を示す図である。
【図３】図２のＡ矢視拡大図である。
【図４】本実施形態に備えられるカウンタウエイトを示す斜視図である。
【図５】本発明の第２実施形態の要部を構成するカウンタウエイトを示す斜視図である。
【図６】本発明の第３実施形態の要部を構成するカウンタウエイトを示す斜視図である。
【図７】図６に示す第３実施形態に備えられる案内板を示す図で、（ａ）図は平面図、（ｂ）図は正面図である。
【符号の説明】
【００２５】
１１    エンジン室
１２    カウンタウエイト
１３    エンジン
１４    過給器
１５    オイルパン
１６    オイルレベルゲージ
１７    案内溝
１７ａ  傾斜面
１８    案内溝
１８ａ  第１傾斜面
１８ｂ  第２傾斜面
１９    案内板
【図１】
2008196150.tif 000003
【図２】
2008196150.tif 000004
【図３】
2008196150.tif 000005
【図４】
2008196150.tif 000006
【図５】
2008196150.tif 000007
【図６】
2008196150.tif 000008
【図７】
2008196150.tif 000009